【手続補正書】
【提出日】平成23年11月18日(2011.11.18)
【手続補正１】
【補正対象書類名】特許請求の範囲
【補正対象項目名】全文
【補正方法】変更
【補正の内容】
【特許請求の範囲】
【請求項１】
ウェブ（ワールドワイドウェブ）インタフェース経由で、サーバコンピュータにおいて、動的グラフィックを作成するコンピュータ実行方法であって、
前記サーバコンピュータ上の中央処理装置が、前記サーバコンピュータ上のウェブサーバアプリケーションにおいて動的グラフィックの第１の要求を、クライアントコンピュータから受信する第１のステップであって、前記第１の要求は、プレゼンテーション文書の複数のデータ要素の出力順序情報を含む、第１のステップと、
前記第１の要求の受信に応じて、前記中央処理装置が、前記第１の要求に基づいて前記動的グラフィックを作成する第２のステップと、
前記第１の要求の受信に応じて、前記中央処理装置が、前記作成された動的グラフィックを、前記クライアントコンピュータに返送する第３のステップと、
前記中央処理装置が、前記複数のデータ要素に対する出力順序変更の指示を含む第２の要求を、前記クライアントコンピュータから受信する第４のステップであって、前記第２の要求は、前記第１の要求に含まれるデータは含まない、第４のステップと、
前記第２の要求の受信に応じて、前記中央処理装置が、前記第２の要求に基づいて、変更された動的グラフィックを作成する第５のステップと
前記第２の要求の受信に応じて、前記中央処理装置が、前記変更された動的グラフィックを、前記クライアントコンピュータに返送する第６のステップと
を備えたことを特徴とするコンピュータ実行方法。
【請求項２】
前記第１の要求は、前記動的グラフィックのテキスト項目のリスト、および前記動的グラフィックのレイアウトの種類を指定するデータを含むことを特徴とする請求項１に記載のコンピュータ実行方法。
【請求項３】
前記第２のステップは、前記第１の要求によって指定された前記レイアウトの種類と一致する種類を有する動的グラフィックを作成するステップ、および前記第１の要求によって指定された前記テキスト項目に対応する図形を含む動的グラフィックを作成するステップを含むことを特徴とする請求項２に記載のコンピュータ実行方法。
【請求項４】
前記第１の要求は、前記動的グラフィックの視覚スタイルを指定するデータをさらに含むことを特徴とする請求項３に記載のコンピュータ実行方法。
【請求項５】
前記第２のステップは、前記第１の要求によって指定された前記視覚スタイルと一致する視覚スタイルを有する動的グラフィックを作成するステップを含むことを特徴とする請求項４に記載のコンピュータ実行方法。
【請求項６】
前記第１の要求は、前記動的グラフィックの色の組を指定するデータをさらに含むことを特徴とする請求項５に記載のコンピュータ実行方法。
【請求項７】
前記第２のステップは、前記第１の要求によって指定された色の組に基づいて前記動的グラフィックを作成するステップを含むことを特徴とする請求項６に記載のコンピュータ実行方法。
【請求項８】
ウェブ（ワールドワイドウェブ）インタフェース経由で、サーバコンピュータにおいて、動的グラフィックを作成するコンピュータ実行方法であって、
前記サーバコンピュータ上の中央処理装置が、クライアントコンピュータのウェブブラウザを介して、前記動的グラフィックのテキスト項目のリスト、および前記動的グラフィックのレイアウトの種類を指定するためのユーザインタフェースを前記クライアントコンピュータに提供する第１のステップと、
前記中央処理装置が、前記ユーザインタフェースにおける第１の要求を、前記クライアントコンピュータから受信する第２のステップであって、前記第１の要求は、プレゼンテーション文書の複数のデータ要素の出力順序情報、ならびに前記テキスト項目のリスト、および前記動的グラフィックの前記レイアウトの種類を指定するデータを含む、第２のステップと、
前記第１の要求の受信に応じて、前記中央処理装置が、前記動的グラフィックの第１の要求メッセージを前記サーバコンピュータ上のウェブサービスに送信する第３のステップであって、前記第１の要求メッセージは、前記第１の要求に基づく、第３のステップと、
前記中央処理装置が、前記ウェブサービスから作成された前記動的グラフィックを受信する第４のステップと、
前記中央処理装置が、前記ウェブブラウザを介して、前記作成された動的グラフィックを前記クライアントコンピュータに表示させる第５のステップと、
前記中央処理装置が、前記ウェブブラウザにおける第２の要求を前記クライアントコンピュータから受信する第６のステップであって、前記第２の要求は、前記複数のデータ要素に対する出力順序変更の指示を含み、かつ前記第１の要求に含まれるデータは含まない、第６のステップと、
前記第２の要求の受信に応じて、前記中央処理装置が、前記動的グラフィックの第２の要求メッセージをウェブサービスに送信する第７のステップであって、前記第２の要求メッセージは、前記第２の要求に基づく、第７のステップと、
前記中央処理装置が、前記ウェブサービスから変更された前記動的グラフィックを受信する第８のステップと、
前記中央処理装置が、前記ウェブブラウザを介して、前記変更された動的グラフィックを前記クライアントコンピュータに表示させる第９のステップと
を備えたことを特徴とするコンピュータ実行方法。
【請求項９】
前記中央処理装置が、前記クライアントコンピュータにおいて前記動的グラフィックのプロパティが変更されたかどうかを判定するステップと、
前記動的グラフィックのプロパティが変更されたとの判定に応じて、前記中央処理装置が、前記動的グラフィックの第３の要求メッセージを前記ウェブサービスに送信するステップであって、前記動的グラフィックの前記第３の要求メッセージは、変更された前記動的グラフィックのプロパティを含む、ステップと、
前記中央処理装置が、前記ウェブサービスから第２の変更された動的グラフィックを受信するステップと、
前記中央処理装置が、前記ウェブブラウザを介して、前記第２の変更された動的グラフィックを前記クライアントコンピュータに表示させるステップと
をさらに備えたことを特徴とする請求項８に記載のコンピュータ実行方法。
【請求項１０】
前記中央処理装置が、前記クライアントコンピュータにおいて前記テキスト項目が変更されたかどうかを判定するステップと、
前記テキスト項目が変更されたとの判定に応じて、前記中央処理装置が、前記動的グラフィックの第３の要求メッセージを前記ウェブサービスに送信するステップであって、前記動的グラフィックの前記第３の要求メッセージは、変更された前記テキスト項目のリストを含む、ステップと、
前記中央処理装置が、前記ウェブサービスから第２の変更された動的グラフィックを受信するステップと、
前記中央処理装置が、前記ウェブブラウザを介して、前記第２の変更された動的グラフィックを前記クライアントコンピュータに表示させるステップと
をさらに備えたことを特徴とする請求項８に記載のコンピュータ実行方法。
【請求項１１】
前記中央処理装置が、前記クライアントコンピュータにおいて前記レイアウトの種類が変更されたかどうかを判定するステップと、
前記レイアウトの種類が変更されたとの判定に応じて、前記中央処理装置が、前記動的グラフィックの第３の要求メッセージを前記ウェブサービスに送信するステップであって、前記動的グラフィックの前記第３の要求メッセージは、変更された前記レイアウトの種類を指定するデータを含む、ステップと、
前記中央処理装置が、前記ウェブサービスから第２の変更された動的グラフィックを受信するステップと、
前記中央処理装置が、前記ウェブブラウザを介して、前記第２の変更された動的グラフィックを前記クライアントコンピュータに表示させるステップと
をさらに備えたことを特徴とする請求項８に記載のコンピュータ実行方法。
【請求項１２】
前記中央処理装置が、前記ウェブブラウザを介して、前記動的グラフィックの視覚スタイルを指定するためのユーザインタフェースを提供するステップをさらに備え、前記第１の要求は、前記視覚スタイルを指定するデータをさらに含むことを特徴とする請求項８に記載のコンピュータ実行方法。
【請求項１３】
前記中央処理装置が、前記クライアントコンピュータにおいて前記視覚スタイルが変更されたかどうかを判定するステップと、
前記視覚スタイルが変更されたとの判定に応じて、前記中央処理装置が、前記動的グラフィックの第３の要求メッセージを前記ウェブサービスに送信するステップであって、前記動的グラフィックの前記第３の要求メッセージは、変更された前記視覚スタイルを指定するデータを含む、ステップと、
前記中央処理装置が、前記ウェブサービスから第２の変更された動的グラフィックを受信するステップと、
前記中央処理装置が、前記ウェブブラウザを介して、前記第２の変更された動的グラフィックを前記クライアントコンピュータに表示させるステップと
をさらに備えたことを特徴とする請求項１２に記載のコンピュータ実行方法。
【請求項１４】
前記中央処理装置が、前記ウェブブラウザを介して、前記動的グラフィックの色を指定するためのユーザインタフェースを提供するステップをさらに備え、前記第１の要求は、前記色を指定するデータをさらに含むことを特徴とする請求項８に記載の方法。
【請求項１５】
前記中央処理装置が、前記クライアントコンピュータにおいて前記色が変更されたかどうかを判定するステップと、
前記色が変更されたとの判定に応じて、前記中央処理装置が、動的グラフィックの第３の要求メッセージを前記ウェブサービスに送信するステップであって、前記動的グラフィックの前記第３の要求メッセージは、変更された前記色を指定するデータを含む、ステップと、
前記中央処理装置が、前記ウェブサービスから第２の変更された動的グラフィックを受信するステップと、
前記中央処理装置が、前記ウェブブラウザを介して、前記第２の変更された動的グラフィックを前記クライアントコンピュータに表示させるステップと
をさらに備えたことを特徴とする請求項１４に記載のコンピュータ実行方法。
【請求項１６】
コンピュータ実行可能命令を有するコンピュータ可読記憶媒体であって、サーバコンピュータにおいて、前記コンピュータ実行可能命令によって実行させる方法は、
前記サーバコンピュータ上の中央処理装置が、前記サーバコンピュータ上のウェブサービスにおいて動的グラフィックの第１の要求を、クライアントコンピュータから受信する第１のステップであって、前記要求は、プレゼンテーション文書の複数のデータ要素の出力順序を指定する第１のパラメータを含む、第１のステップと、
前記第１の要求に応じて、前記中央処理装置が、前記第１のパラメータに基づいて前記動的グラフィックを作成する第２のステップと、
前記中央処理装置が、前記第１の要求に対する応答として前記作成された動的グラフィックを、前記クライアントコンピュータに返送する第３のステップと、
前記中央処理装置が、前記複数のデータ要素に対する出力順序変更を指定する第２のパラメータを含む第２の要求を、前記クライアントコンピュータから受信する第４のステップであって、前記第２の要求は、前記第１の要求に含まれるデータは含まない、第４のステップと、
前記第２の要求の受信に応じて、前記中央処理装置が、前記出力順序変更の指示に基づいて、変更された動的グラフィックを作成する第５のステップと
前記第２の要求の受信に応じて、前記中央処理装置が、前記第２の要求に対する応答として前記変更された動的グラフィックを、前記クライアントコンピュータに返送する第６のステップと
を備えたことを特徴とするコンピュータ実行可能命令。
【請求項１７】
前記第１のパラメータは、前記動的グラフィックのレイアウトの種類およびテキスト項目のリストをさらに指定することを特徴とする請求項１５に記載のコンピュータ可読記憶媒体。
【請求項１８】
前記第１のパラメータは、前記動的グラフィックの視覚スタイルをさらに指定することを特徴とする請求項１６に記載のコンピュータ可読記憶媒体。
【請求項１９】
前記第１のパラメータは、前記動的グラフィックの色をさらに指定することを特徴とする請求項１７に記載のコンピュータ可読記憶媒体。
【請求項２０】
前記ウェブサービスは、ステートレス動作モードまたはステートフル動作モードにおいて動作し、前記ステートフル動作モードにおいて動作する場合、前記ウェブサービスは、前記動的グラフィックの前記レイアウトの種類、前記テキスト項目のリスト、前記視覚スタイルおよび前記色を指定している状態を前記サーバコンピュータ上に保持することを特徴とする請求項１８に記載のコンピュータ可読記憶媒体。